(57)【要約】  【課題】  被包装物を所望の姿勢に維持することができるとともに、ケース内部に不必要な空間を作ることなく、占有床面積を小さくすることが可能な包装装置を提供する。  【解決手段】  包装装置１は、ケース１０を備える。ケース１０の上面、及び底面には、開閉式の把手付対向フラップ２２、３１が各々設けられる。把手付対向フラップ２２、３１が属する側面１１には、その上下方向略中央部に貫通孔１１ａが設けられる。把手付対向フラップ２２、３１を、各々付根ライン、中間部ライン、及び把手付根ラインで直角に、ケース１０内側に向かって折り曲げ、把手部２２ａ、３１ａをケース１０内側から貫通孔１１ａに通すと、これらの把手部２２ａ、３１ａがケース１０の外側に突出した状態となる。この把手部２２ａ、３１ａの存在により、ケース１０は、側面１１が底面になるように自立することが不能である。【選択図】      図１
2005306400.tif 000002
【特許請求の範囲】
【請求項１】
被包装物を収容するケースを備え、このケースは、その外面に設けられた把手により、前記被包装物が特定姿勢になるように自立することが不能であることを特徴とする包装装置。
【請求項２】
前記ケースは、複数のフラップを備えた箱状をなし、これらのフラップのうち特定のものが、ケース内側に向かって折り曲げられ、その先端部が、フラップが属するケース側面の貫通孔を通してケース内側から外側に突出せしめられることにより、その突出部分が前記把手として機能することを特徴とする請求項１に記載の包装装置。
【請求項３】
被包装物を収容するケースを備え、このケースの外面には、弾性材料からなる緩衝体を装着するとともに、この緩衝体は、前記被包装物が特定姿勢になるように前記ケースが自立することを不能とする形状を備えることを特徴とする包装装置。
【請求項４】
被包装物を収容する、複数のフラップを備えた箱状のケースを備え、前記フラップのうち特定のものが、ケース内側に向かって折り曲げられ、その折り曲げ部が、外側に突出せしめられ、その先端部が、フラップが属する平面の対向平面に沿うようにして取り付けられることにより、このフラップで、前記被包装物が特定姿勢になるように前記ケースが自立することを不能とする形状が形成されることを特徴とする包装装置。
【請求項５】
被包装物を収容するケースと、このケースを収容可能な、上面を開放した外ケースとを備え、この外ケースは、その外面に設けられたフランジにより、前記被包装物が特定姿勢になるように自立することが不能であることを特徴とする包装装置。
【請求項６】
前記ケースは、前記外ケースに、複数個同時に収容されることを特徴とする請求項５に記載の包装装置。
【請求項７】
前記被包装物は、その外側に略円筒状をなす保護部材を備えるとともに、前記ケース内に、その内壁に対して所定の隙間を設けて収容されることを特徴とする請求項１〜請求項６のいずれか１項に記載の包装装置。
【請求項８】
前記保護部材は、前記被包装物の側面のみを保護するキャップで構成されることを特徴とする請求項７に記載の包装装置。
【請求項９】
前記ケースは、その内部に略垂直に設けられた複数の隔壁部材を備え、この隔壁部材は、前記保護部材を回転可能に保持する貫通孔を備えることを特徴とする請求項７または請求項８に記載の包装装置。
【発明の詳細な説明】
【技術分野】
【０００１】
本発明は、被包装物である物品を包装するための包装装置に関する。
【背景技術】
【０００２】
画像形成装置や家庭用電化製品等の物品は、段ボール等で構成される包装装置によって包装されて、出荷されている。この包装装置は、大型の物品に対するものを除いて、物品をケースにすっぽりと収納するタイプの包装装置が多い。そして、包装装置は、ケース内に包装された被包装物が所望の姿勢となる置き方で、倉庫内に積み重ねて保管されたり、トラック等に積載して輸送されたりする。
【０００３】
一方、被包装物である物品には、その構造的な特徴により、特定の姿勢となる置き方を特に嫌うものがある。例えば、画像形成装置において多用されるトナーカートリッジには、その内部に、長手方向と略平行にトナー供給スクリューが設けられたものがある。このようなトナーカートリッジの場合、トナー供給スクリューが略水平となる姿勢では何ら問題はないが、トナー供給スクリューが略垂直となる姿勢が長時間維持されると、内部のトナーの凝集により、トナーを送り出すことができなかったり、トナー供給スクリューの駆動機構に大きな負荷がかかってスクリュー自体、或いはその駆動機構が破損したりしてしまう。
【０００４】
このような問題に対して、被包装物が所望の姿勢となるようにするための様々な手法が提案され、その例を特許文献１、及び２に見ることができる。
【特許文献１】特開平７−２８７４２９号公報（第２−３頁、図１）
【特許文献２】特開２００１−２７８３４２号公報（第３−４頁、図１）
【発明の開示】
【発明が解決しようとする課題】
【０００５】
特許文献１に記載されたトナーカートリッジ収納用ケースは、長手方向両端側面を、長手方向に対して傾斜するように構成して、長手方向に立てて置くことができないようになっている。しかしながら、このケースでは、ケース内部に不必要な空間が多くなり、ケースのサイズが大きくなってしまうとともに、多くの内部緩衝材を用意しなければならない。さらに、複数個のケースを１箇所に集めて並べる際、その占有床面積が非常に大きくなってしまう。
【０００６】
特許文献２に記載された筐体の梱包方法は、トナーカートリッジの画像形成装置装着時の姿勢でトナーが凝集しないように、その表裏を反転させた姿勢でカートリッジを梱包箱に収容して梱包するというものである。しかしながら、梱包箱自体の上下を反転させた状態で置いてしまった場合、上記のようにカートリッジを所望の姿勢にした意味がなくなってしまう。
【０００７】
本発明は上記の点に鑑みなされたものであり、被包装物を所望の姿勢に維持することができるとともに、ケース内部に不必要な空間を作ることなく、複数個を１箇所に集めて並べる場合でも占有床面積を小さくすることが可能な包装装置を提供することを目的とする。
【課題を解決するための手段】
【０００８】
上記の課題を解決するため、本発明は、被包装物を収容するケースを備え、このケースは、その外面に設けられた把手により、前記被包装物が特定姿勢になるように自立することが不能であることとした。
【０００９】
また、前記ケースは、複数のフラップを備えた箱状をなし、これらのフラップのうち特定のものが、ケース内側に向かって折り曲げられ、その先端部が、フラップが属するケース側面の貫通孔を通してケース内側から外側に突出せしめられることにより、その突出部分が前記把手として機能することとした。
【００１０】
また、被包装物を収容するケースを備え、このケースの外面には、弾性材料からなる緩衝体を装着するとともに、この緩衝体は、前記被包装物が特定姿勢になるように前記ケースが自立することを不能とする形状を備えることとした。
【００１１】
また、被包装物を収容する、複数のフラップを備えた箱状のケースを備え、前記フラップのうち特定のものが、ケース内側に向かって折り曲げられ、その折り曲げ部が、外側に突出せしめられ、その先端部が、フラップが属する平面の対向平面に沿うようにして取り付けられることにより、このフラップで、前記被包装物が特定姿勢になるように前記ケースが自立することを不能とする形状が形成されることとした。
【００１２】
また、被包装物を収容するケースと、このケースを収容可能な、上面を開放した外ケースとを備え、この外ケースは、その外面に設けられたフランジにより、前記被包装物が特定姿勢になるように自立することが不能であることとした。
【００１３】
また、前記ケースは、前記外ケースに、複数個同時に収容されることとした。
【００１４】
また、前記被包装物は、その外側に略円筒状をなす保護部材を備えるとともに、前記ケース内に、その内壁に対して所定の隙間を設けて収容されることとした。
【００１５】
また、前記保護部材は、前記被包装物の側面のみを保護するキャップで構成されることとした。
【００１６】
また、前記ケースは、その内部に略垂直に設けられた複数の隔壁部材を備え、この隔壁部材は、前記保護部材を回転可能に保持する貫通孔を備えることとした。
【発明の効果】
【００１７】
本発明の構成によれば、被包装物を収容するケースを備え、このケースは、その外面に設けられた把手により、前記被包装物が特定姿勢になるように自立することが不能であることとしたので、低コストで簡便な構成により、被包装物を所望の姿勢に維持することができる。そして、包装装置の運搬に用いられる把手が、被包装物が特定姿勢になるようにケースが自立することを不能とする機能を果たすので、２つの作用を同時に得ることができ、たいへん好都合である。さらに、ケースに把手を取り付けるだけであるので、ケース内部に不必要な空間を作ることもなく、複数個を１箇所に集めて並べる場合でも占有床面積を小さくすることが可能である。
【００１８】
また、ケースは、複数のフラップを備えた箱状をなし、これらのフラップのうち特定のものが、ケース内側に向かって折り曲げられ、その先端部が、フラップが属するケース側面の貫通孔を通してケース内側から外側に突出せしめられることにより、その突出部分が前記把手として機能することとしたので、被包装物が特定姿勢になるようにケースが自立することを不能とする把手を、フラップの折り曲げ等により容易に得ることが可能となる。また、別部品の把手を取り付けるわけではないので、包装装置の低コスト化を図ることができる。そして、フラップのケース内側に折り曲げた部分は、被包装物の緩衝体として用いることもできるので、包装装置の低コスト化をさらに高めることが可能となる。
【００１９】
また、被包装物を収容するケースを備え、このケースの外面には、弾性材料からなる緩衝体を装着するとともに、この緩衝体は、被包装物が特定姿勢になるように前記ケースが自立することを不能とする形状を備えることとしたので、簡便な構成により、被包装物を所望の姿勢に維持することができる。そして、緩衝体は、衝突等による衝撃から包装装置自体を保護する機能も果たすので、２つの作用を同時に得ることができ、たいへん好都合である。さらに、ケース内部に不必要な空間を作ることがなく、複数個を１箇所に集めて並べる場合でも、緩衝体を押し潰すようにして並べることにより、占有床面積を小さくすることが可能である。
【００２０】
また、被包装物を収容する、複数のフラップを備えた箱状のケースを備え、フラップのうち特定のものが、ケース内側に向かって折り曲げられ、その折り曲げ部が、外側に突出せしめられ、その先端部が、フラップが属する平面の対向平面に沿うようにして取り付けられることにより、このフラップで、被包装物が特定姿勢になるように前記ケースが自立することを不能とする形状が形成されることとしたので、フラップの折り曲げ等により、容易に被包装物を所望の姿勢に維持することができる。そして、このフラップをケース本体に向かって押し付けることにより、包装装置の占有床面積を小さくすることが可能である。
【００２１】
また、被包装物を収容するケースと、このケースを収容可能な、上面を開放した外ケースとを備え、この外ケースは、その外面に設けられたフランジにより、前記被包装物が特定姿勢になるように自立することが不能であることとしたので、被包装物を収容するケース自体を特別な構成にすることなく簡単な方法で、被包装物を所望の姿勢に維持することができる。そして、ケース内部に不必要な空間を作ることがない。さらに、外ケースは特定のケースの付属品ではなく、汎用的に用いることができるので、包装装置の低コスト化を図ることが可能となる。
【００２２】
また、ケースは、外ケースに、複数個同時に収容されることとしたので、複数個のケースをまとめた状態で、被包装物を所望の姿勢に維持することができる。したがって、被包装物が特定姿勢になるようにケースが自立することを不能とする形状等を、個々の包装装置自体に設ける必要がないので、包装装置の低コスト化をさらに高めることが可能となる。さらに、複数個集められた包装装置の占有床面積を小さくすることができる。
【００２３】
また、被包装物は、その外側に略円筒状をなす保護部材を備えるとともに、ケース内に、その内壁に対して所定の隙間を設けて収容されることとしたので、ケース内で転がるようにして、自動的にその姿勢が変化せしめられる。これにより、被包装物が特定姿勢になることを防止する作用を、さらに高めることが可能となる。したがって、例えば被包装物がトナーカートリッジである場合、長手方向に立てて置くことを防止できるとともに、ケース内での転がりによりトナーが移動して、凝集しない。
【００２４】
また、保護部材は、被包装物の側面のみを保護するキャップで構成されることとしたので、低コストで簡便な構成により、被包装物が特定姿勢になることを防止することができる。
【００２５】
また、前記保護部材によって保護された被包装物を収容するケースは、その内部に略垂直に設けられた複数の隔壁部材を備え、この隔壁部材は、保護部材を回転可能に保持する貫通孔を備えることとしたので、ケース内において、被包装物の回転を妨げることなく、不必要な移動を防止することができる。したがって、ケース内で被包装物が移動してケース内壁に衝突することによる騒音や、ケース、及び被包装物の破損を防止することが可能である。
【発明を実施するための最良の形態】
【００２６】
以下、本発明の実施形態を図１〜図１９に基づき説明する。
【００２７】
最初に、本発明の第１の実施形態に係る包装装置について、図１〜図４を用いて説明する。図１は包装装置の模型的斜視図、図２は同じく模型的垂直断面正面図、図３は同じく模型的水平断面上面図である。図４は、ケースの展開図である。
【００２８】
図１において、包装装置１は、ケース１０を備えている。このケース１０の中に、被包装物２００が収容され、包装される。
【００２９】
ケース１０は直方体の箱状をなし、図４に示す展開図の段ボールによって構成されている。ケース１０の上面には、開閉式のフラップ２０が３個備えられている。３個のフラップ２０は、１個の上面フラップ２１と、１組の対向フラップ２２とで構成されている。ケース１０の底面には、開閉式のフラップ３０が４個備えられている。４個のフラップ３０は、２組の対向フラップ３１、３２として構成されている。
【００３０】
１個の上面フラップ２１は、ケース１０の上面をカバーするものであって、平面形状が長方形である。上面フラップ２１の先端部には、ケース１０の封をし易いように、折り曲げ部２１ａが設けられている。ケース１０の上面を閉じる時には、上面フラップ２１が、対向フラップ２２の外側になるように閉じ、折り曲げ部２１ａを上面フラップ２１の対辺をなすケース１０の辺の内側に差し込むようにして、上面フラップ２１にてケース１０の蓋をする。
【００３１】
１組の対向フラップ２２は、平面形状が長方形であって、その先端部分には把手部２２ａが設けられている。把手部２２ａには、その先端近傍に手掛け穴２２ｂが設けられている。そして、この把手付対向フラップ２２が属するケース１０の側面１１には、その上下方向略中央部に貫通孔１１ａが設けられている。貫通孔１１ａは、横方向に長い長方形状をなしており、その幅は把手付対向フラップ２２の本体部の幅より短く、把手部２２ａの幅より長い。また、貫通孔１１ａの高さは、把手付対向フラップ２２の２枚分の厚みよりやや大きい。
【００３２】
把手付対向フラップ２２には、付根ライン２２ｃ、中間部ライン２２ｄ、及び把手付根ライン２２ｅで折り目が設けられている。把手付根ライン２２ｅから把手付対向フラップ２２の先端までの長さは、付根ライン２２ｃから中間部ライン２２ｄまでの長さよりも長い。中間部ライン２２ｄから把手付根ライン２２ｅまでの長さは、ケース１０の高さのほぼ半分の長さである。把手付対向フラップ２２を、付根ライン２２ｃ、中間部ライン２２ｄ、及び把手付根ライン２２ｅで各々直角に、ケース１０内側に向かって折り曲げ、把手部２２ａをケース１０内側から貫通孔１１ａに通すと、図２に示すように、把手付対向フラップ２２の把手部２２ａがケース１０の外側に突出した状態となる。
【００３３】
ケース１０の底面に設けられた一方の対向フラップ３１も、上記上面側の対向フラップ２２と同様の構成であり、把手部３１ａ、及び手掛け穴３１ｂが備えられ、付根ライン３１ｃ、中間部ライン３１ｄ、及び把手付根ライン３１ｅで折り目が設けられている。そして、この把手付対向フラップ３１を、ケース１０内側に向かって折り曲げ、把手部２２ａを貫通孔１１ａに通すと、図２、及び図３に示すように、把手部３１ａがケース１０の外側に突出した状態となる。この時、上面側の把手付対向フラップ２２の把手部２２ａと、底面側の把手付対向フラップ３１の把手部３１ａとが上下にぴったりと合わさる。
【００３４】
ケース１０の底面側のもう１組の対向フラップ３２は、平面形状が長方形である。この対向フラップ３２は、各々の付根からの延長長さが互いの間に引いた中間ラインに一致し、各々の先端側の端辺が合わさるようにしてケース１０の底面をカバーするものである。ケース１０の底面を閉じる時には、この底面対向フラップ３２が、把手付対向フラップ３１の外側になるように閉じ、２個の底面対向フラップ３２の合わせ目を粘着テープ等で貼り合わせる。
【００３５】
上記構成の包装装置１は、ケース１０の外面に設けられた把手部２２ａ、３１ａを手で持って、両手で運搬することができる。そして、この把手部２２ａ、３１ａの存在により、ケース１０は、側面１１が底面になるように自立することが不能である。
【００３６】
このようにして、被包装物２００を収容するケース１０を備え、このケース１０は、その外面に設けられた把手部２２ａ、３１ａにより、被包装物２００が特定姿勢になるように自立することが不能であるので、低コストで簡便な構成により、被包装物２００を所望の姿勢に維持することができる。そして、包装装置１の運搬に用いられる把手部２２ａ、３１ａが、被包装物２００が特定姿勢になるようにケース１０が自立することを不能とする機能を果たすので、２つの作用を同時に得ることができ、たいへん好都合である。さらに、ケース１０に把手を取り付けるだけであるので、ケース１０の内部に不必要な空間を作ることもなく、複数個を１箇所に集めて並べる場合でも占有床面積を小さくすることが可能である。
【００３７】
また、ケース１０は、複数のフラップ２０、３０を備えた箱状をなし、これらのフラップ２０、３０のうち特定のものである把手付対向フラップ２２、３１が、ケース１０の内側に向かって折り曲げられ、その先端部が、フラップが属するケース側面１１の貫通孔１１ａを通してケース１０の内側から外側に突出せしめられることにより、その突出部分が前記把手部２２ａ、３１ａとして機能するので、被包装物２００が特定姿勢になるようにケース１０が自立することを不能とする把手部２２ａ、３１ａを、フラップの折り曲げ等により容易に得ることが可能となる。また、別部品の把手を取り付けるわけではないので、包装装置１の低コスト化を図ることができる。そして、把手付対向フラップ２２、３１のケース１０の内側に折り曲げた部分は、被包装物２００の緩衝体として用いることもできるので、包装装置１の低コスト化をさらに高めることが可能となる。
【００３８】
次に、本発明の第２の実施形態に係る包装装置について、図５〜図７に基づき説明する。図５は包装装置の模型的斜視図、図６はケースの展開状態を示す模型的斜視図、図７はケースの組み立て途中の状態を示す模型的斜視図である。なお、図７は、ケースの一部を破断した形で描いてある。
【００３９】
図５において、包装装置１は、ケース４０と、緩衝体６０とを備えている。このケース４０の中に、被包装物２００が収容され、包装される（図７参照）。
【００４０】
ケース４０は直方体の箱状をなし、図６に示す展開状態の段ボールによって構成されている。図６において、ケース４０の一端には、ケース４０の長手方向の長さより短い長さで延びる係合片４１が設けられている。ケース４０の底面４２の角部には、長手方向に延びる、係合片４１より少し長い係合溝４３が設けられている。ケース４０の本体部４４を角筒状に折り曲げ、ケース４０の外側から内側に向かって係合溝４３に係合片４１を差し込むことにより、ケース４０を容易に直方体の箱状にすることができる。ケース４０の長手方向の両端部には、各々１組の、平面形状が長方形の対向フラップ４５が設けられている。
【００４１】
緩衝体６０は、スポンジやウレタン樹脂等の弾性部材で構成され、図７に示すように、ケース４０の長手方向の両端部に、各々１個ずつ備えられている。緩衝体６０は、ケース４０の長手方向外側の端面が斜面６１で構成された直方体状をなしている。緩衝体６０の、ケース４０の長手方向と平行な２つの側面には、斜面６１のすぐ内側に、垂直な溝６２が各々設けられている。溝６２は、上下方向に緩衝体６０を貫通し、ケース４０の対向フラップ４５を受け入れる大きさである。この緩衝体６０を展開されたケース４０の長手方向両端部に配置し、ケース４０を角筒状に折り曲げることにより、４個の対向フラップ４５が各々緩衝体６０の溝６２に収まり、図５に示す包装装置１が完成する。この斜面６１を備えた緩衝体６０の存在により、ケース４０は、長手方向が上下になるように自立することが不能である。
【００４２】
このようにして、被包装物２００を収容するケース４０を備え、このケース４０の外面には、弾性材料からなる緩衝体６０を装着するとともに、この緩衝体６０は、被包装物２００が特定姿勢になるようにケース４０が自立することを不能とする形状である斜面６１を備えるので、簡便な構成により、被包装物２００を所望の姿勢に維持することができる。そして、緩衝体６０は、衝突等による衝撃から包装装置１自体を保護する機能も果たすので、２つの作用を同時に得ることができ、たいへん好都合である。さらに、ケース４０の内部に不必要な空間を作ることがなく、複数個を１箇所に集めて並べる場合でも、緩衝体６０を押し潰すようにして並べることにより、占有床面積を小さくすることが可能である。
【００４３】
次に、本発明の第３の実施形態に係る包装装置について、図８〜図１０に基づき説明する。図８は包装装置の模型的斜視図、図９はケースの展開状態を示す模型的斜視図、図１０はケースの組み立て途中の状態を示す模型的斜視図である。なお、図１０は、ケースの一部を破断した形で描いてある。また、この実施形態の基本的な構成は、前記第２の実施形態と同じであるので、第２の実施形態と共通する構成要素については前と同じ符号を付し、説明は省略するものとする。
【００４４】
図８において、包装装置１は、ケース４０を備えている。このケース４０の中に、被包装物２００が収容され、包装される（図１０参照）。
【００４５】
ケース４０は直方体の箱状をなし、図９に示す展開状態の段ボールによって構成されている。図１０に示すように、ケース４０の本体部４４を角筒状に折り曲げることにより、ケース４０を容易に直方体の箱状にすることができる。
【００４６】
ケース４０の底面４２には、長手方向両端側に各々突出フラップ４６が設けられている。突出フラップ４６には、その付根４６ａと先端部４６ｂとの中間部分に折り曲げ部４６ｃが設けられている。付根４６ａから折り曲げ部４６ｃまでの間において、突出フラップ４６とその両側面４７、４８との間には、蛇腹部４６ｄが設けられている。先端部４６ｂには、ケース４０の長手方向と直角をなす方向に突出し、ケース４０の本体部４４と係合する係合片４６ｅが設けられている。
【００４７】
ケース４０を箱状にする際には、図１０に示すように、突出フラップ４６をケース４０内側に向かって、付根４６ａ、及び折り曲げ部４６ｃにて折り曲げる。この時、蛇腹部４６ｄも内側に向かって折り曲げる。そして、先端部４６ｂが、突出フラップ４６が属する底面４２の対向平面であるケース４０の上面４９に沿うようにして、先端部４６ｂを上面４９の内側に差し込む。この先端部４６ｂにおいては、係合片４６ｅを、上面４９の角部に設けられた係止溝５０に内側から差し込んで引っ掛ける。このようにして、突出フラップ４６により、図８に示す傾斜部５１が、ケース４０の長手方向両端部に形成される。この傾斜部５１を形成する突出フラップ４６の存在により、ケース４０は、長手方向が上下になるように自立することが不能である。
【００４８】
上記のようにして、被包装物２００を収容する、複数のフラップを備えた箱状のケースを備え、フラップのうち特定のものである突出フラップ４６が、ケース４０内側に向かって折り曲げられ、その折り曲げ部４６ｃが、外側に突出せしめられ、その先端部４６ｂが、突出フラップ４６が属する底面４２の対向平面であるケース４０の上面４９に沿うようにして取り付けられることにより、この突出フラップ４６で、被包装物２００が特定姿勢になるようにケース４０が自立することを不能とする形状が形成されるので、フラップの折り曲げ等により、容易に被包装物２００を所望の姿勢に維持することができる。そして、この突出フラップ４６をケース４０の本体部４４に向かって押し付けることにより、包装装置１の占有床面積を小さくすることが可能である。
【００４９】
次に、本発明の第４の実施形態に係る包装装置について、図１１〜図１３に基づき説明する。図１１は包装装置の模型的斜視図、図１２は外ケースの模型的斜視図、図１３は外ケースの模型的部分断面正面図である。
【００５０】
図１１において、包装装置１は、ケース７０と、外ケース８０とを備えている。ケース７０は段ボールで構成され、直方体の箱状をなしている。このケース７０の中に、被包装物２００が収容され、包装される。
【００５１】
外ケース８０は、段ボールや合成樹脂等で構成され、図１２、及び図１３に示すように、上面を開放した直方体の箱状をなしている。外ケース８０の内部の大きさは、１個のケース７０を受け入れる大きさである。外ケース８０は、その内部にケース７０が半分程度収まる高さを有する。外ケース８０の上端部分には、外側に向かって略水平に突出するフランジ８１が設けられている。このフランジ８１の存在により、外ケース８０は、フランジ８１が突出する側面が底面になる、すなわち被包装物２００が特定姿勢になるように自立することが不能である。
【００５２】
このようにして、被包装物２００を収容するケース７０と、このケース７０を収容可能な、上面を開放した外ケース８０とを備え、この外ケース８０は、その外面に設けられたフランジ８１により、被包装物２００が特定姿勢になるように自立することが不能であるので、被包装物２００を収容するケース７０自体を特別な構成にすることなく簡単な方法で、被包装物２００を所望の姿勢に維持することができる。そして、ケース７０内部に不必要な空間を作ることがない。さらに、外ケース８０は特定のケース７０の付属品ではなく、汎用的に用いることができるので、包装装置１の低コスト化を図ることが可能となる。
【００５３】
次に、本発明の第５の実施形態に係る包装装置について、図１４、及び図１５に基づき説明する。図１４は包装装置の模型的斜視図、図１５は図１４と同様の模型的斜視図にして、複数のケースを結束バンドでまとめた状態を示すものである。なお、この実施形態の基本的な構成は、前記第４の実施形態と同じであるので、第４の実施形態と共通する構成要素については前と同じ符号を付し、説明は省略するものとする。
【００５４】
図１４において、外ケース８０は、段ボールや合成樹脂等で構成され、上面を開放した直方体の箱状をなしている。外ケース８０の内部の大きさは、ケース７０を複数個同時に収容できる大きさである。図１５において、複数のケース７０は、結束バンド７１によってまとめられている。なお、複数のケース７０をまとめるためには、合成樹脂フィルムで包んでも構わないし、さらに別のケースを用い、これに収容してまとめても構わない。
【００５５】
このようにして、ケース７０は、外ケース８０に、複数個同時に収容されるので、複数個のケース７０をまとめた状態で、被包装物２００を所望の姿勢に維持することができる。したがって、被包装物２００が特定姿勢になるようにケース７０が自立することを不能とする形状等を、個々の包装装置１自体に設ける必要がないので、包装装置１の低コスト化をさらに高めることが可能となる。さらに、複数個集められた包装装置１の占有床面積を小さくすることができる。
【００５６】
次に、本発明の第６の実施形態に係る包装装置について、図１６、及び図１７に基づき説明する。図１６は包装装置の模型的斜視図、図１７は同じく模型的垂直断面側面図である。なお、この実施形態の基本的な構成は、前記第１の実施形態と同じであるので、第１の実施形態と共通する構成要素については前と同じ符号を付し、説明は省略するものとする。
【００５７】
図１６において、包装装置１は、ケース１０、及び保護部材９０を備えている。このケース１０の中に、保護部材９０によって保護された被包装物２００が収容され、包装される。
【００５８】
保護部材９０は略円筒状をなし、段ボールや合成樹脂等により構成されている。保護部材９０の長手方向の長さ、及び内径は、被包装物２００がすっぽりと収まる大きさである。
【００５９】
ケース１０の長手方向と直角をなす平面におけるその内寸は、図１７に示すように、内部に保護部材９０によって保護された被包装物２００を収容した際、その内壁と保護部材９０との間に所定の隙間が生じる大きさである。また、長手方向の内寸は、折り曲げて把手を形成した把手付対向フラップ２２、３１間の長さが、保護部材９０を受け入れて、がたつきがない程度の大きさである。
【００６０】
このようにして、被包装物２００は、その外側に略円筒状をなす保護部材９０を備えるとともに、ケース１０内に、その内壁に対して所定の隙間を設けて収容されるので、ケース１０内で転がるようにして、自動的にその姿勢が変化せしめられる。これにより、被包装物２００が特定姿勢になることを防止する作用を、さらに高めることが可能となる。したがって、例えば被包装物２００がトナーカートリッジである場合、長手方向に立てて置くことを防止できるとともに、ケース１０内での転がりによりトナーが移動して、凝集しない。
【００６１】
次に、本発明の第７の実施形態に係る包装装置について、図１８に基づき説明する。図１８は、包装装置の被包装物を示す模型的斜視図である。なお、この実施形態の基本的な構成は、前記第６の実施形態と同じであるので、第６の実施形態と共通する構成要素については図面の記載、及びその説明を省略するものとする。
【００６２】
図１８において、保護部材１００は略円筒状のキャップであって、段ボールや合成樹脂等により構成されている。被包装物２００は、その対向する側面のみが、２個のキャップ状保護部材１００によって保護されている。
【００６３】
このようにして、保護部材１００は、被包装物２００の側面のみを保護するキャップで構成されるので、低コストで簡便な構成により、被包装物２００が特定姿勢になることを防止することができる。
【００６４】
次に、本発明の第８の実施形態に係る包装装置について、図１９に基づき説明する。図１９は、包装装置の模型的斜視図である。なお、図１９は、ケースの一部を破断した形で描いてある。また、この実施形態の基本的な構成は、前記第２、及び第６の実施形態と同じであるので、第２、及び第６の実施形態と共通する構成要素については前と同じ符号を付し、説明は省略するものとする。
【００６５】
図１９において、包装装置１は、ケース４０、緩衝体６０、及び保護部材９０を備えている。このケース４０の中に、保護部材９０によって保護された被包装物２００が収容され、包装される。
【００６６】
ケース４０は直方体の箱状をなし、段ボールによって構成されている。ケース４０の内部には、２枚の隔壁部材５２が垂直に立てて設けられている。各々の隔壁部材５２には、保護部材９０を受け入れる大きさの貫通孔５３が設けられている。保護部材９０によって保護された被包装物２００を、ケース４０内部に収容する際には、保護部材９０を隔壁部材５２の貫通孔５３に通して収容する。隔壁部材５２は、保護部材９０を回転可能に保持する。なお、隔壁部材５２は、２枚に限定されるものではない。
【００６７】
このようにして、保護部材９０によって保護された被包装物２００を収容するケース４０は、その内部に略垂直に設けられた複数の隔壁部材５２を備え、この隔壁部材５２は、保護部材９０を回転可能に保持する貫通孔５３を備えるので、ケース４０内において、被包装物２００の回転を妨げることなく、不必要な移動を防止することができる。したがって、ケース４０内で被包装物２００が移動してケース内壁に衝突することによる騒音や、ケース、及び被包装物２００の破損を防止することが可能である。
【００６８】
なお、第６〜第８の実施形態で説明した被包装物２００の保護部材９０、１００については、第１〜第５のいずれの実施形態に対しても適用可能である。
【００６９】
上記のように本発明の実施形態を示したが、この他、発明の主旨を逸脱しない範囲で種々の変更を加えて実施することができる。
【産業上の利用可能性】
【００７０】
本発明は、被包装物を包装する包装装置全般において利用可能である。
【図面の簡単な説明】
【００７１】
【図１】は、本発明の第１の実施形態に係る包装装置の模型的斜視図である。
【図２】は、図１に示す包装装置の模型的垂直断面正面図である。
【図３】は、図１に示す包装装置の模型的水平断面上面図である。
【図４】は、図１に示すケースの展開図である。
【図５】は、本発明の第２の実施形態に係る包装装置の模型的斜視図である。
【図６】は、図５のケースの展開状態を示す模型的斜視図である。
【図７】は、図５のケースの組み立て途中の状態を示す模型的斜視図である。
【図８】は、本発明の第３の実施形態に係る包装装置の模型的斜視図である。
【図９】は、図８のケースの展開状態を示す模型的斜視図である。
【図１０】は、図８のケースの組み立て途中の状態を示す模型的斜視図である。
【図１１】は、本発明の第４の実施形態に係る包装装置の模型的斜視図である。
【図１２】は、図１１に示す外ケースの模型的斜視図である。
【図１３】は、図１１に示す外ケースの模型的部分断面正面図である。
【図１４】は、本発明の第５の実施形態に係る包装装置の模型的斜視図である。
【図１５】は、図１４と同様の包装装置の模型的斜視図にして、複数のケースを結束バンドでまとめた状態を示すものである。
【図１６】は、本発明の第６の実施形態に係る包装装置の模型的斜視図である。
【図１７】は、図１６に示す包装装置の模型的垂直断面側面図である。
【図１８】は、本発明の第７の実施形態に係る包装装置の被包装物を示す模型的斜視図である。
【図１９】は、本発明の第８の実施形態に係る包装装置の模型的斜視図である。
【符号の説明】
【００７２】
１    包装装置
１０、７０  ケース
１１  側面
１１ａ  貫通孔
２０、３０  フラップ
２２、３１  把手付対向フラップ
２２ａ、３１ａ  把手部
４０  ケース
４２  底面
４４  本体部
４６  突出フラップ
４６ｂ  先端部
４６ｃ  折り曲げ部
４６ｅ  係合片
４９  上面
５０  係止溝
５２  隔壁部材
５３  貫通孔
６０  緩衝体
６１  斜面
８０  外ケース
８１  フランジ
９０、１００  保護部材
２００  被包装物
【図１】
2005306400.tif 000003
【図２】
2005306400.tif 000004
【図３】
2005306400.tif 000005
【図４】
2005306400.tif 000006
【図５】
2005306400.tif 000007
【図６】
2005306400.tif 000008
【図７】
2005306400.tif 000009
【図８】
2005306400.tif 000010
【図９】
2005306400.tif 000011
【図１０】
2005306400.tif 000012
【図１１】
2005306400.tif 000013
【図１２】
2005306400.tif 000014
【図１３】
2005306400.tif 000015
【図１４】
2005306400.tif 000016
【図１５】
2005306400.tif 000017
【図１６】
2005306400.tif 000018
【図１７】
2005306400.tif 000019
【図１８】
2005306400.tif 000020
【図１９】
2005306400.tif 000021